【手続補正書】
【提出日】平成17年3月16日(2005.3.16)
【手続補正１】
【補正対象書類名】明細書
【補正対象項目名】００５０
【補正方法】変更
【補正の内容】
【００５０】
そして、各回転軸３９,４０,４１,４２には、対応するカムピン４３,４４,４５および被押圧ピン４６を、それぞれ、第１および第２チャッキングピン３１,３２がそれぞれ第１および第２ガイド孔２７,２８の内側端の方向つまり第１のＣＤ８の通路を閉じる方向に移動し、また第３および第４チャッキングピン３３,３４がそれぞれ第１および第２ガイド縁２９,３０の内側端の方向つまり第１のＣＤ８の通路を閉じる方向に移動するように常時付勢するスプリング４７,４８,４９,５０が設けられている。その場合、２つのスプリング４７,４８のばね力が他の２つのスプリング４９,５０のばね力より若干大きく設定されている。したがって、後述するように１２ｃｍあるいは８ｃｍの第１のＣＤ８がそれぞれ位置決め部２５ａ′,２６′に当接した正規位置に設定された状態では、２つのスプリング４７,４８のばね力で第１のＣＤ８は位置決め部２５ａ′,２６′に当接した状態に付勢されて維持され、正規位置が保持されるようになっている。
【手続補正２】
【補正対象書類名】明細書
【補正対象項目名】００５４
【補正方法】変更
【補正の内容】
【００５４】
更に、第１チャッキング制御部材５１はスプリング５６のばね力で図５（ｂ）において常時時計方向に付勢されており、この第１チャッキング制御部材５１に他の外力が加えられないときは、図５（ａ）および（ｂ）に示す状態、つまり第１および第２チャッキングピン３１,３２がそれぞれ第１および第２ガイド孔２７,２８の内側端に位置するとともに第３および第４チャッキングピン３３,３４がそれぞれ第１および第２ガイド縁２９,３０の内側端にほぼ位置して、第１のＣＤ８の通路を最も閉じた位置に設定されるようになっている。なお、スプリング５６に代えてスプリング４７,４８,４９,５０の力を利用することもできる。その場合はスプリング５６は不要となり、部品点数を削減でき、コストを低減できる。
【手続補正３】
【補正対象書類名】明細書
【補正対象項目名】００５５
【補正方法】変更
【補正の内容】
【００５５】
また、第１チャッキング制御部材５１は後述するように第１ラックスライダ７９により力が加えられて、図５（ｂ）において反時計方向にスプリング５６のばね力に抗して回転すると、各カムピン４３,４４,４５がガイドされるので、第１ないし第３ピン支持板３５,３６,３７がそれぞれ回転し、第１ないし第３チャッキングピン３１,３２,３３がそれぞれ対応する第１および第２ガイド孔２７,２８の外側端、第１ガイド縁２９の外側端の方へ向かって、つまり第１のＣＤ８の通路を開く方向にこれらの第１および第２ガイド孔２７,２８、第１ガイド縁２９にガイドされて移動するようになっている。
なお、第１チャッキング制御部材５１はこのような回転式に代えて、スライド式のスライダを用いることもできる。
【手続補正４】
【補正対象書類名】明細書
【補正対象項目名】０１５７
【補正方法】変更
【補正の内容】
【０１５７】
すなわち、図２７および図２８に示すようにローラ・アーム式ディスク引込排出手段１３０は一対の駆動側アーム１３１と従動側アーム１３２とを備えている。駆動側アーム１３１は装置本体２の一側（図２７において上側）に回動可能に設けられ、図２９に示すようにこの駆動側アーム１３１の回動軸１３１ａには駆動ギヤ１３３が同軸にかつ回転可能に設けられている。また、駆動側アーム１３１の先端部にはディスク出し入れ駆動ローラ１３４が回転可能に支持されている。ディスク出し入れ駆動ローラ１３４にはローラ駆動ギヤ１３５がこのローラ１３４と同軸にかつローラ１３４と一体回転可能に設けられている。更に、駆動側アーム１３１には、駆動ギヤ１３３から動力をローラ駆動ギヤ１３５に減速して伝達する歯車動力伝達機構１３６が設けられている。
【手続補正５】
【補正対象書類名】明細書
【補正対象項目名】０１１１
【補正方法】変更
【補正の内容】
【０１１１】
また、第１ラックスライダ７９の移動により、押圧部材８５の端８５ａが第１チャッキング制御部材５１の被押圧ピン５１ｂを押すので、第１チャッキング制御部材５１が回転する。これにより、チャッキングアーム３５,３６,３７,３８が回転し、第１ないし第４チャッキングピン３１,３２,３３,３４が図１８（ａ）のＣＤ待機位置となる。
【手続補正６】
【補正対象書類名】明細書
【補正対象項目名】０１６９
【補正方法】変更
【補正の内容】
【０１６９】
また、ストア位置Ａにある第１ＣＤ保持搬送部材２１の正規位置にセットされている第１ＣＤ８を取り出すために、操作キーを操作すると、第１モータ２が挿入時と逆方向に回動するとともに、前述の各例と同様に押出アーム５８によりこの第１ＣＤ８が第１ＣＤ挿入取出口１０の方へ押し出される。すると、第１ＣＤ８の押出側の先端外周の上下エッジ部がこれらの第１溝１３７および第１溝１４４によって挟持され、駆動ローラ１３４の回動により第１ＣＤ８が回転しながら、第１ＣＤ挿入取出口１０の方へ移動する。以下、前述の挿入の場合と逆に作動することで、第１ＣＤ８の一部が第１ＣＤ挿入取出口１０から装置本体２の外部に飛び出し、飛び出したこの第１ＣＤ８を引き抜くことで、第１ＣＤ８が装置本体２から取り出される。
第２ＣＤ挿入取出口１１からの第２ＣＤ９の出し入れの作動も同様である。
【手続補正７】
【補正対象書類名】図面
【補正対象項目名】図２４
【補正方法】変更
【補正の内容】
【図２４】
2002334507.tif 000001
【手続補正８】
【補正対象書類名】図面
【補正対象項目名】図２５
【補正方法】変更
【補正の内容】
【図２５】
2002334507.tif 000002
【手続補正９】
【補正対象書類名】図面
【補正対象項目名】図２７
【補正方法】変更
【補正の内容】
【図２７】
2002334507.tif 000003
【手続補正１０】
【補正対象書類名】図面
【補正対象項目名】図２８
【補正方法】変更
【補正の内容】
【図２８】
2002334507.tif 000004
【手続補正１１】
【補正対象書類名】図面
【補正対象項目名】図２９
【補正方法】変更
【補正の内容】
【図２９】
2002334507.tif 000005
【手続補正１２】
【補正対象書類名】図面
【補正対象項目名】図３０
【補正方法】変更
【補正の内容】
【図３０】
2002334507.tif 000006
【手続補正１３】
【補正対象書類名】図面
【補正対象項目名】図３１
【補正方法】変更
【補正の内容】
【図３１】
2002334507.tif 000007
【手続補正１４】
【補正対象書類名】図面
【補正対象項目名】図３２
【補正方法】変更
【補正の内容】
【図３２】
2002334507.tif 000008
【手続補正１５】
【補正対象書類名】図面
【補正対象項目名】図３３
【補正方法】変更
【補正の内容】
【図３３】
2002334507.tif 000009
【手続補正１６】
【補正対象書類名】図面
【補正対象項目名】図３４
【補正方法】変更
【補正の内容】
【図３４】
2002334507.tif 000010
【手続補正１７】
【補正対象書類名】図面
【補正対象項目名】図３５
【補正方法】変更
【補正の内容】
【図３５】
2002334507.tif 000011
【手続補正１８】
【補正対象書類名】図面
【補正対象項目名】図３６
【補正方法】変更
【補正の内容】
【図３６】
2002334507.tif 000012
【手続補正１９】
【補正対象書類名】図面
【補正対象項目名】図３７
【補正方法】変更
【補正の内容】
【図３７】
2002334507.tif 000013
【手続補正２０】
【補正対象書類名】図面
【補正対象項目名】図３８
【補正方法】変更
【補正の内容】
【図３８】
2002334507.tif 000014
【手続補正２１】
【補正対象書類名】図面
【補正対象項目名】図３９
【補正方法】変更
【補正の内容】
【図３９】
2002334507.tif 000015